(57)【要約】本発明は概して、廃棄物処理の分野に関する。その方法は、（ｉ）主に食品廃棄物を含む部分（微細物）、及び（ｉｉ）主に紙、及び他のリサイクル可能な材料を含む部分（オーバーサイズ物）を含む、少なくとも２つの部分に分離する工程を含む。オーバーサイズ物をパルプ化し、及び洗浄して、セルロース系バイオマスを得る；また微細物を任意選択で別個に処理して、セルロース系バイオマスを回収する；微細物とオーバーサイズ物の両方からのセルロース系バイオマスは組み合わせてよい。
2019501761.tif 000002
【特許請求の範囲】
【請求項１】
混合廃棄物を処理する方法であって、
ａ）前記廃棄物を、（ｉ）主に食品廃棄物を含む部分（微細物）；並びに（ｉｉ）主に紙、及び他のリサイクル可能な材料を含む部分（オーバーサイズ物）；を含む、少なくとも２つの部分に分離する工程；
ｂ）前記オーバーサイズ物をパルプ化する工程；及び
ｃ）前記オーバーサイズ物を洗浄して、セルロース系バイオマスを得る工程；及び任意選択で、
ｄ）前記微細物を処理して、セルロース系バイオマスを得る工程；
を有してなる方法。
【請求項２】
前記分離が、少なくとも１つの篩又はトロンメルにより達成される、請求項１に記載の方法。
【請求項３】
前記トロンメルが、約３００〜５００ｍｍの間の篩サイズを有する、請求項２に記載の方法。
【請求項４】
前記トロンメルが、約５０〜１５０ｍｍの間の篩サイズを有する、請求項２又は３に記載の方法。
【請求項５】
分離された微細物が、約２００ｍｍ未満の直径を有する、請求項１から４のいずれか１項に記載の方法。
【請求項６】
前記パルプ化工程ｂ）に続き、前記パルプ化された材料の少なくとも一部が破砕される、請求項１から５のいずれか１項に記載の方法。
【請求項７】
前記破砕した材料が再パルプ化される、請求項６に記載の方法。
【請求項８】
前記オーバーサイズ物のパルプ化（工程ｂ））は、（ｉ）パルプ；（ｉｉ）他のリサイクル可能物；及び（ｉｉｉ）汚れた洗浄水；を含む、少なくとも３つの部分を得ることをもたらす、請求項１から７のいずれか１項に記載の方法。
【請求項９】
前記他のリサイクル可能物（プラスチックフィルム、並びにプラスチック及び金属容器などのリサイクル可能な材料を含む）が、洗浄工程ｃ）の前に、前記パルプ化された材料から除去される、請求項８に記載の方法。
【請求項１０】
前記洗浄工程ｃ）が、約１ｍｍ超の粒径を有する非有機実質固形物流を生じさせる、請求項１から９のいずれか１項に記載の方法。
【請求項１１】
前記洗浄工程ｃ）が、バイオ由来の界面活性剤を含む界面活性剤、及び／又は酵素及び／又は触媒及び／又は添加剤及び／又は他の適切な物質の使用を含む、請求項１から１０のいずれか１項に記載の方法。
【請求項１２】
前記非有機実質固形物流が、熱燃焼のため、又は合成ガス（シンガス）への転化のために使用される、請求項１０に記載の方法。
【請求項１３】
前記洗浄工程ｃ）は洗浄水をさらに生じさせ、該洗浄水は、任意選択で生物的処理により処理され、主プロセスに戻されてリサイクルされる及び／又はバイオガス製造に使用される、請求項１から１２のいずれか１項に記載の方法。
【請求項１４】
前記微細物は、プラスチック材料の実質的な縮小なしに有機物を分解させるように、サーモメカニカルに処理される、請求項１から５のいずれか１項に記載の方法。
【請求項１５】
前記サーモメカニカルに処理された微細物は、（ｉ）ガラス及びシリカなどの重い粒子状物質；（ｉｉ）プラスチックなどの軽い粒子状物質；及び（ｉｉｉ）有機物；の分離を可能にするように比重選別を受ける、請求項１４に記載の方法。
【請求項１６】
前記微細物の処理は、有機物を多量に含む洗浄水をもたらす、請求項１４又は１５に記載の方法。
【請求項１７】
前記軽い粒子状物質は、請求項１の洗浄工程ｃ）に戻される、請求項１６に記載の方法。
【請求項１８】
微細物（主に食品廃棄物を含む）を処理する方法であって、サーモメカニカルパルプ化、及びそれに続く比重選別の工程を有してなる方法。
【請求項１９】
請求項１から１８のいずれか１項に記載の方法により得られるセルロース系バイオマス。
【請求項２０】
約６％未満、又は約７％未満、又は約８％未満、又は約９％未満、又は約１０％未満の灰分を含み、かつ約５〜８：１の間のグルカン：キシラン比を有する、セルロース系バイオマス。
【請求項２１】
請求項１９又は２０に記載のセルロース系バイオマスの、酵素加水分解における及び／又はセルロース系繊維製品の製造のための使用。
【請求項２２】
前記酵素加水分解が、糖溶液及び／又はリグニンを多量に含む固形物を製造するために使用される、請求項２１に記載の使用。
【請求項２３】
請求項１から１８のいずれか１項に記載の方法により得られる非有機実質固形物流から得られる可燃材料又はシンガス。
【請求項２４】
ＭＳＷから抽出される有機物から得られ、かつ請求項１から１８のいずれか１項に記載の方法により得られる、可燃材料又はバイオガス。
【請求項２５】
添付の例証としての図面を参照して実質的にこの中に記載されているプロセス。
【発明の詳細な説明】
【技術分野】
【０００１】
本発明は概して、廃棄物処理の分野に関する。より詳細には、本発明は、様々なリサイクル可能な材料及び他の有用な製品を回収(recovery)するために、廃棄物、特に、一般家庭廃棄物、産業廃棄物及び商業廃棄物を、効率的に処理する方法に関する。
【背景技術】
【０００２】
商業、産業及び家庭の消費者は、大量の廃棄物を生み出し、それは安全でかつ効率的な様式で取扱い及び処分することを必要とする。世界の多くの地域の国及び地方政府は、家庭に厳しいリサイクル要件を課している；それでもなお、家庭廃棄物の大部分がまだ埋立地に又は焼却に送られ、それによって、希少資源をなくす原因となる新たな製品を作るのではなく、廃棄物質から価値のある製品を得る又は廃棄物をリサイクルする機会を失っている。さらに、廃棄物を埋立地に送ることは、人口が増え続け、食糧や住居への需要が増している世界において、利用可能な土地の最善の利用法ではない。埋立地の利用に関連する別の問題は、それが引き起こしうる土壌及び水質汚染である。焼却は、大気汚染を生じさせ、また利用可能な土地の最大限の活用をもたらさない。焼却はまた、最終的に埋め立てることになる残渣を生じさせる。
【０００３】
さらに、世界の多くの地域の家庭は、例えば、（ｉ）リサイクルできない材料、（ｉｉ）有害物質（例えば、電池など）、（ｉｉｉ）食品廃棄物、（ｉｖ）庭木廃棄物、及び（ｖ）リサイクル可能な材料（例えば、紙、ガラス、プラスチック、及び金属など）に分別することが要求されるが、発生源分別の多くは厳密に行われず（しばしば全く行われず）、従って、あらゆる有害物質を取り除き、廃棄物を正しい流れに選別するために、資源回収施設（ＭＲＦ）では有効なソーティング（選別）の取り組みがまだ必要とされている。しかしながら、多くのＭＲＦは、混ざり合った又は汚染された廃棄物流を効率的に取り扱うように設定されておらず、ＭＲＦは、多くの誤って選別された廃棄物を排除(reject)することになる。それによって、完全にリサイクル可能な材料が、埋立地に又は焼却に送られることになりうる。
【０００４】
様々な方法が、一般廃棄物からリサイクル可能な材料を処理及び回収するのに利用可能であるが、リサイクルに必要な投入コストがリサイクル製品により得られる価格を上回るほど、これらのプロセスはしばしば非効率であり、リサイクルを魅力がなく或いは採算の合わない選択肢にする。従って、一般廃棄物からリサイクル可能な材料及び他の有用な製品を回収するより効率的な方法に対する要求が依然としてある。
【０００５】
本発明は、リサイクル可能な材料及び他の有用な製品のより多くの回収を可能とし及び／又はより清浄な最終製品の回収を可能にする、効率的で経済的に実現可能な廃棄物処理の方法を提供することにより、上記の課題を解決することを目的とする。
【発明の概要】
【課題を解決するための手段】
【０００６】
本発明は、混合廃棄物を処理する方法であって、
ａ）前記廃棄物を、（ｉ）主に食品廃棄物を含む部分（微細物(fines)）、並びに（ｉｉ）主に紙、及び他のリサイクル可能な材料を含む部分（オーバーサイズ物(overs)）を含む、少なくとも２つの部分に分離する工程；
ｂ）前記オーバーサイズ物をパルプ化する工程；及び
ｃ）前記パルプ化されたオーバーサイズ物を洗浄して、セルロース系バイオマス（cellulose-rich biomass）を得る工程；及び任意選択で、
ｄ）前記微細物を処理して、セルロース系バイオマスを得る工程；
を有してなる方法を提供する。
【０００７】
本発明は、本発明の方法によって得られるセルロース系バイオマスも提供し、そのセルロース系バイオマスは、（混合）廃棄物リサイクル及び／又は回収プロセスのような従来の廃棄物処理方法により得られるセルロースバイオマスよりも、清浄である（例えば、低減された灰分を有することにより）。また、本発明の方法により得られるセルロース系バイオマスの収量は、（混合）廃棄物リサイクル及び／又は回収プロセスのような従来の廃棄物処理方法により得られるセルロースバイオマスよりも高い。
【０００８】
本発明はまた、（紙及び段ボールのリサイクルのような、（混合）廃棄物リサイクル及び／又は回収プロセスのような従来の廃棄物処理方法により得られるセルロースバイオマスの灰分に対して）約６％未満、又は約７％未満、又は約８％未満、又は約９％、又は約１０％未満の灰分を含み、及び約５〜８：１の間のグルカン：キシラン比を有する、これまで知られていないセルロース系バイオマスを提供する。
【０００９】
本発明はまた、本発明のセルロース系バイオマスの様々な使用を提供する。本発明は、本発明の方法の他の副産物の様々な使用も提供する。
【図面の簡単な説明】
【００１０】
【図１】紙、段ボール、プラスチック、金属、ガラス、電池、電気製品、織物(textile)、ゴム、木材、庭木、及び食品廃棄物の任意のものを含みうるＭＳＷの処理のための、本発明に従うプロセスを示す。
【発明を実施するための形態】
【００１１】
本発明によると、混合廃棄物を処理する方法であって、
ａ）前記廃棄物を、（ｉ）主に食品廃棄物を含む部分（微細物）、及び（ｉｉ）主に紙、及び他のリサイクル可能な材料を含む部分（オーバーサイズ物）を含む、少なくとも２つの部分に分離する工程；
ｂ）前記オーバーサイズ物をパルプ化する工程；及び
ｃ）前記パルプ化されたオーバーサイズ物を洗浄して、セルロース系バイオマスを得る工程；及び任意選択で、
ｄ）前記微細物を処理して、セルロース系バイオマスを得る工程；
を有してなる方法を提供する。
【００１２】
上記のプロセスは、混合廃棄物を処理する方法のみならず、（混合）廃棄物リサイクル及び／又は回収プロセスのような従来の廃棄物処理方法によって得られるものよりも、より高い収量のセルロース系バイオマス及び／又はより清浄なセルロース系バイオマスの回収を可能にするセルロース系バイオマスを得る方法も提供する。
【００１３】
本発明に従う方法は、混合廃棄物の処理に適しており、好ましくは、都市固形廃棄物（又はＭＳＷ）、すなわち、家庭、並びに例えばオフィス、学校、卸売り店、レストラン、小売店などの商業施設により出される一般廃棄物、任意の有害でない産業廃棄物、及び例えばＭＲＦが排除したものなど他の廃棄物リサイクル活動からの残渣、の処理に適している。典型的なＭＳＷには、以下の任意のものが含まれる：紙、段ボール、プラスチック、金属、ガラス、電池、電気製品、織物、ゴム、木材、庭木、及び食品廃棄物。用語「混合廃棄物」、「一般廃棄物」、「家庭廃棄物」、「廃棄物」、「都市固形廃棄物」、及び「ＭＳＷ」は全て、紙、段ボール、プラスチック、金属、電池、電気製品、ガラス、織物、ゴム、木材、庭木、及び食品廃棄物の、任意の２つ以上、３つ以上、４つ以上、５つ以上、６つ以上を意味するのにこの中で交換可能に用いられる。
【００１４】
事前選別
本発明の一実施形態によると、オーバーサイズ物から微細物を分離する工程（上記方法の工程（ａ））の前に、組積物（masonry）、家具、後続の処理に大きすぎる物品、電気製品、織物、カーペット、及び動物の死骸など、任意の有害品目又は処理に適さない品目を除去するために混合廃棄物を選別する、任意選択の「事前選別」工程がある。事前選別工程は、本発明においてほぼ又は全くリサイクル価値がない、或いは設備を破損させうる任意の品目を実質的に除去する役割を果たす。事前選別工程は、ティッピングフロアから手で不適切な品目を拾い出す、或いは物品を移動ベルトに載せてそれら品目を手で拾い出す及び／又は場合によっては光学選別機などの助けを借りて、行うことができる。
【００１５】
従って、本発明の方法によると、オーバーサイズ物から微細物を分離する工程ａ）の前に、任意選択の事前選別工程が提供される。混合廃棄物中に有意量の不適当な品目がない場合は、オーバーサイズ物からの微細物の分離が始まる前に事前選別は必要とされない。
【００１６】
微細物及びオーバーサイズ物を得るためのＷＳＷの一次選別
（事前選別工程が必要ない場合）本発明の方法における最初の工程（工程（ａ））は、受入ＷＳＷの「微細物」と「オーバーサイズ物」への分離を含む。この中で「微細物」に対する言及は、例えばガラス、小砂（grit）、プラスチック、及び紙などの他の微量成分を含む、主に食品廃棄物を意味するとみなされる。この中で「オーバーサイズ物」への言及は、主にプラスチック、金属、紙、及び段ボールを含む廃棄物を意味するとみなされる。
【００１７】
オーバーサイズ物からの微細物の分離は、トロンメル（回転篩）など（すなわち、サイズによって物質の分離を可能にする任意のタイプの篩又は他の装置）に受入廃棄物を通すことにより行うことができる。例えば、受入廃棄物の性質及びサイズに応じて、１つ又は２つ以上のトロンメル等を用いてよい。例えば、オーバーサイズ物を、約３００〜５００ｍｍの間の篩サイズを有する第１のトロンメル又は他の篩もしくは装置に通し、その後、約５０〜１５０ｍｍの間の篩サイズを有する別のトロンメルに通してよい。或いは、約２００ｍｍ未満の直径を有する微細物が得られることを可能とする、集合体を処理するための任意の篩分け、組立て、配置を本発明の方法において用いてよい。
【００１８】
従来の廃棄物回収プロセスにおいて、オーバーサイズ物からの微細物の分離が全くないことがよくあり；或いは、そのような分離がある場合でも、微細物は堆肥化されるか又は嫌気性消化で用いられ、さらに処理されるのはオーバーサイズ物のみである。しかしながら、これらの未処理で汚染された微細物は、（適当な安定化の後）ブラウンフィールドの場所に広げるのにしか適さないため、問題となりうる。有利なことに、本発明の方法によると、オーバーサイズ物からの微細物の分離、及びそれらの別々の処理は、リサイクル可能な材料の回収を最大化し、さらにＭＳＷからより高い収量のセルロース系バイオマス及び他の有用な製品が得られることを可能にし、その一方で、埋立地又は焼却に送られる廃棄物の量を最小化する。
【００１９】
オーバーサイズ物の処理
オーバーサイズ物の処理が始まる前に、オーバーサイズ物流中に存在しうるあらゆる織物を除去することが好ましい；これは、事前選別工程での織物の除去に加えて、又はその代わりに行ってよい。織物は、機械に巻き込まれる、或いは機械の部品又はリサイクルすべき他の材料に巻きつきやすいため、特に問題となりうる。これは、設備に損傷をもたらし、また他の製品の効率的なリサイクルを妨げる。オーバーサイズ物の処理は水の添加を含み、織物は吸収材料であるため、オーバーサイズ物が処理される前に織物の大部分を除去することにより、水及び燃料の節約がなされることを可能にし、それによってプロセスの全体的効率を高める。
【００２０】
オーバーサイズ物を、例えば移動ベルトに載せ、手で又は光学選別機等の助けを借りてあらゆる織物を拾い出すことによって、織物を取り除くことができる。回収した織物は、その後、別途にリサイクルすることができる。
【００２１】
従って、本発明の方法によると、工程ｂ）においてオーバーサイズ物のパルプ化が始まる前に、オーバーサイズ物から織物を除去する任意選択の工程が提供される。
【００２２】
本発明の別の実施形態によると、微細物とオーバーサイズ物の組合せ処理のために、未処理の微細物を、実質的に織物を含まないオーバーサイズ物と混ぜ合わせてもよい。
【００２３】
実質的に織物を含まないオーバーサイズ物は、紙、段ボール、プラスチックフィルム、プラスチック容器、及び金属容器の混合物を含み、全て食品廃棄物及び他の微量成分で汚染されている。実質的に織物を含まないオーバーサイズ物（任意選択で、未処理の微細物と共に）の処理（「パルプ化」）における最初の工程は、オーバーサイズ物の紙及び段ボール成分を解砕してパルプを製造することを含む。段ボール及び紙がパルプ化されると、例えばプラスチックフィルム、プラスチック及び金属容器などのリサイクル可能な材料をより簡単に回収できる。従って、オーバーサイズ物の処理は、オーバーサイズ物を破壊（又は「パルプ化」）して、（ｉ）好ましくはペーパーマッシェタイプの一様性を有する、パルプ（この中で「バイオマスパルプ」とも称される）；（ｉｉ）他のリサイクル可能物；及び（ｉｉｉ）汚れた洗浄水；を含む、少なくとも３つの部分を得ることを含む。
【００２４】
オーバーサイズ物の処理は、任意の手段により、（ｉ）パルプ；（ｉｉ）他のリサイクル可能物；及び（ｉｉｉ）汚れた洗浄水；を含む、少なくとも３つの部分を得るように、オーバーサイズ物の破壊又はパルプ化を可能にする任意の装置を用いて行ってよい。
【００２５】
有利なことに、上記の３つの成分のそれぞれは直接有用となるか、又は更なる製品を作るのに間接的に有用となりうる。例えば、パルプを洗浄（下記を参照）してセルロース系バイオマスを回収することができ、それを酵素加水分解で使用し、さらにその後、バイオガス製造又は様々な他の最終用途で使用することができる。リサイクル可能物は、リサイクルして再利用することができる。汚れた洗浄水は、例えば、プロセスの他の部分に戻して再利用してよく、或いはバイオガス製造のための嫌気性消化で使用してよく、或いは、回収可能なセルロース及び最終バイオガス収量を高めるために、洗浄トンネルに送ってもよい。
【００２６】
オーバーサイズ物は、（ｉ）パルプ；（ｉｉ）他のリサイクル可能物；及び（ｉｉｉ）汚れた洗浄水；を含む、少なくとも３つの部分をもたらすようにオーバーサイズ物の破壊を可能にする任意の装置で処理してよい。そのような装置の例示には、ドラムパルパー又は他の適したパルパー、オートクレーブ、回転ドラムなど、或いは、他のリサイクル可能物及び汚れた洗浄水の回収を可能にするようにバイオマスパルプを得るためにオーバーサイズ物の破壊を可能にする任意の他の装置が含まれる。
【００２７】
例えば、オーバーサイズ物の処理、破壊又はパルプ化は、以下の任意の作用又はそれらの組合せによる：ハイドロメカニカル、サーモメカニカル、及びハイドロサーマル。用語「ハイドロメカニカル(hydro-mechanical)」、「サーモメカニカル(thermo-mechanical)」、及び「ハイドロサーマル(hydrothermal)」は、この中に定義されているとおりであるが、特にオーバーサイズ物に関して、水ベース及び／又は熱ベースの作用及び／又は機械ベースの作用を用いて、好ましくはペーパーマッシェタイプの一様性を有する（他のリサイクル可能物及び汚れた洗浄水の回収を可能にする）、バイオマスパルプをもたらす任意の装置又は装置の組合せを意味する。
【００２８】
用語「処理」、「破壊」、及び「パルプ化」は、この中に定義されているとおりであり、再度、特にオーバーサイズ物に関して、好ましくはペーパーマッシェタイプの一様性を有する（他のリサイクル可能物及び汚れた洗浄水の回収を可能にする）、バイオマスパルプへの、オーバーサイズ物の少なくとも一部の変換を意味する。
【００２９】
従って、本発明の方法の工程ｂ）：「オーバーサイズ物のパルプ化」は、オーバーサイズ物をパルプ化して、（ｉ）パルプ；（ｉｉ）他のリサイクル可能物；及び（ｉｉｉ）汚れた洗浄水；を含む、少なくとも３つの部分を得ることを含む。
【００３０】
実質的に織物を含まないオーバーサイズ物を、ドラムパルパー（又はオーバーサイズ物の破壊に適した任意の他の装置）の第１部分に導入してよく、その際、好ましくは、周囲温度〜約１３０℃まで（例えば、約２０℃〜約２５℃の範囲；又は約２５℃〜約３０℃の範囲；又は約３０℃〜約３５℃の範囲；又は約３５℃〜約４０℃の範囲；又は約４０℃〜約４５℃の範囲；又は約４５℃〜約５０℃の範囲；又は約５０℃〜約５５℃の範囲；又は約５５℃〜約６０℃の範囲；又は約６０℃〜約６５℃の範囲；又は約６５℃〜約７０℃の範囲；又は約７０℃〜約７５℃の範囲；又は約７５℃〜約８０℃の範囲；又は約８０℃〜約８５℃の範囲；又は約８５℃〜約９０℃の範囲；又は約９０℃〜約９５℃の範囲；又は約９５℃〜約１００℃の範囲；又は約１０５℃〜約１１０℃；約１１０℃〜約１１５℃の範囲；又は約１１５℃〜約１２０℃；約１２０℃〜約１２５℃の範囲；又は約１２５℃〜約１３０℃の範囲）に及ぶ温度の水を、好ましくは、オーバーサイズ物の質量に対して、約０〜２５０％（例えば、オーバーサイズ物の質量に対して、約０％から、約５０％まで、約１００％まで、約１５０％まで、約２００％まで、約２５０％まで）の範囲に及ぶ量で、ドラムに及び／又はオーバーサイズ物に添加する。水の温度、及び用いる水の体積は、オーバーサイズ物の特定の組成に応じて調節することができ、この水及び熱／燃料の消費の有効な管理は、プロセスの全体的効率に寄与するであろう。次に、ドラムパルパー又は他の適切な装置内の材料を、トロンメルのように作用するドラムパルパー又は他の装置の第２部分に移動させ、プラスチックフィルム及び容器などのリサイクル可能物を、バイオマスパルプ成分から取り出す。バイオマスパルプ成分をさらに篩にかけて、さらに処理する前にサイズで分離してよい。
【００３１】
有利なことに、本発明の方法は、連続バッチ様式で実行され、一荷の材料がドラムパルパーの第１部分から第２部分に移動する（又は他の適切な装置に進められる）とき、新たな荷がそれに置き換わり、実質的に織物を含まないオーバーサイズ物の絶え間ない流れが連続的に処理される。
【００３２】
本発明の別の態様によると、ドラムパルパーを使用する代わりに、実質的に織物を含まないオーバーサイズ物をオートクレーブ内でパルプ化することにより処理してよく、例えばその後、材料を篩又はトロンメルに通して、任意のリサイクル可能な材料からパルプバイオマスを分離する。しかしながら、このプロセスは、連続ではなく、バッチプロセスであるという不都合を有し、エネルギー及びマンパワー要求を高めるため、効率を悪くする。
【００３３】
パルプ化されたオーバーサイズ物の第２の又はさらなる選別
上記のとおり、オーバーサイズ物のパルプ化工程（工程ｂ）は、（ｉ）好ましくはペーパーマッシェタイプの一様性を有する、パルプ；（ｉｉ）他のリサイクル可能物（典型的には、任意のパルプ化されていない材料から回収されたもの）；及び（ｉｉｉ）汚れた洗浄水；を含む少なくとも３つの部分をもたらす。
【００３４】
パルプ化に続き、ドラムパルパー又は他の適した装置から出てくる材料から、リサイクル可能な材料（成分（ｉｉ）「他のリサイクル可能物」）を取り出す。これらのリサイクル可能な材料は、典型的には、パルプ化されていない材料から回収される。この時点での任意のプラスチックフィルム及び容器の除去は、後続の設備における収容能力を解放し、エネルギー資源は必要に応じて費やされるため、よりエネルギー効率の良いプロセスとする。さらに、この時点であらゆるプラスチックフィルムを除去することは、例えば硬質プラスチック容器、及び金属容器（鉄及び非鉄の両方）などの、硬質リサイクル可能材料のより良好でかつ清浄な回収を可能にする。プラスチックフィルムは、パルプ化されたオーバーサイズ物（パルパー又は他の装置からの生成物）を、軽量のフィルムを持ち上げて除去し、より重い容器を残したままにする真空ドラムセパレータ等を通すことにより除去することができる。或いは、プラスチックフィルムは、移動ベルト上のものを、手で及び／又は真空装置及び空気分級の助けを借りて、取り除いてもよい。
【００３５】
容器などのリサイクル可能な材料は、ポリマーの種類によって硬質容器を分離することができる自動光学選別装置を用いて選別することができる。オーバーバンド磁石を、スチール及び他の鉄製容器の分離及び回収に用いることができ、また渦電流分離機を、アルミニウム又は他の非鉄製容器の分離及び回収に用いることができる。
【００３６】
この段階でリサイクル可能な材料に混じって見られる、例えば紙又は段ボールなどの任意のパルプ化されていない材料を、手で又は自動的に拾い出し、（再）パルプ化のために実質的に織物を含まないオーバーサイズ物供給に戻してよい。任意の残留屑（すなわち、パルプでもリサイクル可能材料でも汚れた洗浄水でもない）をこの段階で排除し、埋立地で処分してよい。有利なことに、そのような埋立地での処分を必要とする任意の残留屑は、廃棄物をリサイクルする従来のプロセスと比較して低減される。
【００３７】
パルプ化されたオーバーサイズ物からのリサイクル可能な材料の取り出しに続き、任意選択の破砕工程を用いてよい。これは、従来の破砕機において、リサイクル可能な材料を除いたパルプ化されていない材料を破砕し、さらに任意選択で、それからの有用な製品の回収を最大化するために、その破砕された混合物をパルパー又は他の装置に戻すことを含む。破砕又は粉砕された材料は、再パルプ化のために微細物及び／又はオーバーサイズ物に添加してよい。破砕工程は、それがなければパルプ化に適切に使用できないかもしれない、プラスチック袋中に封入された品目（例えば、おむつ又は他の生理用品）を、パルプ化に使用しやすくすることができる。有利なことに、破砕は、処理される材料の表面積を増やし、それによってパルプ（及びそれからのセルロース）などの、価値のある材料の最終的な収量を最大化する。
【００３８】
従って、本発明の方法によると、生成物（パルプ化されたオーバーサイズ物、パルプ化されていないオーバーサイズ物、リサイクル可能物など）の全て又は一部、好ましくはパルプ化されていないオーバーサイズ物のみを、パルプ化工程ｂ）に続き、及び洗浄工程ｃ）の前に、破砕する任意選択の工程を提供する。任意選択で、破砕されたオーバーサイズ物を、洗浄工程ｃ）の前に再パルプ化する。
【００３９】
本発明の方法と対照的に、従来の廃棄物処理方法は、紙、及び段ボールからプラスチックフィルム及び容器などのリサイクル可能物を分離するのに乾式選別を用いうるが、これは、余分なマンパワーを必要とし、かつ不潔で汚染されたリサイクル可能な材料を回収する。有利なことに、処理されたオーバーサイズ物から回収されるプラスチックフィルム及び容器、並びに他のリサイクル可能な材料（パルプ化されているかパルプ化されていないかに関わらず）は、比較的清潔であり、更なるリサイクル又は再利用のためにより良い状態である。従って、セルロース回収率も、従来の廃棄物処理プロセスと比較して高められ、それは、缶、及びビンからラベルを除くことにより、またテトラパック及びプラスチックライニングしたコーヒーカップの分別によって（その工程は従来のＭＦＲでは行われていない）、さらに高めることができる。
【００４０】
パルプ化されたオーバーサイズ物の洗浄
次に、パルプ化されたオーバーサイズ物（具体的には、プラスチックフィルム、プラスチック及び金属容器、並びに他のリサイクル可能な材料を実質的に含まない「パルプ」）を洗浄する。洗浄プロセスは、ＭＲＦにおいて、及びメカニカル・バイオロジカル・トリートメント（ＭＢＴ）によるような、従来のプロセスで得られるよりも、より清浄な最終製品、特にセルロース系バイオマスを提供するために、バイオマスパルプから、任意の食品廃棄物、水溶性の有機及び無機汚染物、並びに任意の他の固形の残骸をを取り除くことを目的とする。洗浄を最適化するため、及びより清浄な最終製品を得るために、従来の界面活性剤（バイオ由来の界面活性剤を含む）及び／又は酵素及び／又は触媒及び／又は添加剤及び／又は他の適切な物質を洗浄プロセスで用いてよい。
【００４１】
パルプ化されたオーバーサイズ物（具体的には、「パルプ」成分）は、移動ベルトに沿って洗浄システムまで進み、最小限のマンパワーを用いて自動化された様式でプロセスを作動させることができる。計量ベルトを用いて、洗浄システムに供給されるパルプ化されたオーバーサイズ物（パルプ）の速度及び量を制御してもよい。洗浄システムは、有利なことに、連続バッチプロセスであり、一荷の材料が洗浄システムに沿って移動すると、新たな荷がそれに置き換わり、パルプ化された材料の絶え間ない流れがそのシステムに連続的に供給される。
【００４２】
洗浄システムは、バイオマスパルプの洗浄用の従来の設備を、必要であれば任意選択的に機械的脱水（例えば、フィルタプレス又は遠心分離機を用いる）と共に、含んでいてよい。
【００４３】
洗浄システムは、回転洗浄トロンメル又はトンネル等におけるパルプ化されたオーバーサイズ物（主にパルプ成分）の洗浄を含んでいてよい。洗浄トロンメルは、材料を浄化し、さらにサイズによって材料を分離する役割を果たす。好ましくは、材料を少なくとも２つの画分：直径が約１０ｍｍ超である１つの画分；及び直径が約１０ｍｍ未満の画分；に分離する。小さい方の画分を洗浄し、脱水し、及びさらに処理して例えばセルロースなどの有機材料を回収することができる。小さな又は大きな方の画分中の任意の砂、小砂又は砂利を回収し、骨材としてリサイクルしてもよい。汚れた洗浄水を、ろ過器、凝固剤、凝集剤などの助けを借りて処理して沈泥を除去してもよい。汚れた洗浄水は、任意の沈泥又は他の粒子状物質の除去の後、プロセスの他の部分で再利用してよい。
【００４４】
本発明の別の態様によると、洗浄システムは、洗浄トンネルにおける、パルプ化されたオーバーサイズ物（具体的には、「パルプ」成分）の洗浄を含んでいてよい。洗浄トンネルは、一列に（又は他の適切な構成で）整列させた複数のバスケット又はコンパートメントを含みうる。そのバスケットの１つ又は複数は、洗浄プロセス、並びにその内容物の撹拌による材料のさらなる分解を助けるために、水だめを備え、左右に振動するように構成されていてよい。一部又は全てのバスケットの内側面は、内容物の撹拌及び清浄を助けるために溝付き表面を有していてよい。また、バスケットの１つ又は複数を、１つのバスケットの内容物が別のバスケットに跳ね上がって入るように回転するように構成してもよい。バスケットの１つ又は複数は、要求に応じて、水及び／又はパルプ及び／又は汚染物質を洗浄トンネル内に脱出させるように、穴又は穿孔を有していてよい。例えば、１つ又は複数のバスケットは、より大きな断片（＞約１０ｍｍ）の非セルロース系材料（例えば、プラスチック、ガラス、及び食品廃棄物）をパルプから除去することを可能にするように構成されていてよい。これは、比較的大きな穴を有するバスケットを備えることにより達成することができ、そのバスケットはクロスフロー式の水流中で左右に振動するように構成され、パルプが穴を通って水中に流れ出ることを可能にし、一方、より大きな汚染物質はバスケット内に保持される。１つ又は複数のバスケットは、汚染水が除去されうるように、「脱水」できるように構成されていてよく、それは、汚染水の排出及び洗浄されたパルプの保持を促進するようにバスケットを左右に振動させることにより達成されうる。
【００４５】
バスケットは、所定の間隔で振動又は回転するように制御してよい。バスケットは、単一方向（一方向性）に、或いは前後に（二方向性に又は振動して）回転するように構成してよい。
【００４６】
洗浄トンネルは、少なくとも２つのバスケットを備えていてよく、或いは、３以上、４以上、５以上、６以上、７以上、８以上、９以上、１０以上、１１以上、１２以上、１３以上、１４以上、又は１５以上のバスケットを備えていてよい。さらに、洗浄トンネル中の異なるバスケットは、洗浄プロセスの異なる態様に関わっていてよい。例えば、１つ又は複数のバスケットは、洗浄専用であってよい（これらのバスケットは、洗浄トンネルの「洗浄区域」にあると考えられる）。１つ又は複数のバスケットは、脱水専用であってよい（そのバスケットは、洗浄トンネルの「脱水区域」にあると考えられる）。１つ又は複数のバスケットは、抽出専用であってよい（そのバスケットは、洗浄トンネルの「抽出区域」にあると考えられる）。
【００４７】
効率性及び節約の理由で、清浄水が全てのバスケットに導入されるわけではなく、例えば脱水区域又は抽出区域などからの、１つのバスケットからくる汚れた水を、例えば洗浄区域又はプロセス全体の別の部分における、別の適当なバスケットでリサイクルしてよい。
【００４８】
有利なことに、本発明の方法は、水の使用を最小化し、それにより運転コスト、並びに任意の残留汚染水を処理しなければならない費用を減らす。節水は、洗浄システムの「清浄な」エンドから洗浄システムの「汚れた」エンドへの水の逆流（conterflow）の使用、或いは全体としてプロセス内での水のリサイクルによりなされる。
【００４９】
洗浄システム（回転洗浄トロンメル、洗浄トンネル又は他の洗浄システムのいずれであっても）は、ガラス沈殿槽及び／又は砂用のハイドロサイクロンを用いて、非セルロース系材料（プラスチック、ガラス、高密度の粒子状物質、及び食品廃棄物）又は非有機材料の小片（＜約１０ｍｍ）を、パルプから取り除いてよく、この中で言及される「有機」の語は、任意の植物又は動物由来の炭素基を有する材料を意味する。ガラス及び小砂は、回転設備を徐々に破壊するため、特に問題となりうる。沈殿槽では、重力により、パルプ中の硬質及び／又は高密度の粒子状物質（直径約５ｍｍまで）を槽の底に沈ませる。ハイドロサイクロンは、遠心力を用いて、直径約１ｍｍ超でかつ水より密度が高い硬質及び／又は高密度の粒子状物質を、パルプから分離する。除去した硬質及び／又は高密度の粒子状物質は骨材としてリサイクルすることができる。
【００５０】
沈殿槽及び／又はハイドロサイクロンでの小砂及び他の高密度及び／又は硬質の粒子状物質の除去に続き、小砂を含まないパルプは、あらゆる汚染の可能性のある水を除くために、脱水を必要とする場合がある。これは、例えば、サイドヒルスクリーン及び／又はストックスクリュープレスなどの、パルプ濃縮機及び脱水プレスを用いて達成できる。脱水プレス（例えばサイドヒルスクリーン）は、ハイドロサイクロンでの処理の後にパルプの一様性を改善し、パルプをスクリュープレスにより適したものとする。
【００５１】
有利なことに、洗浄工程（具体的には、パルプの洗浄）から得られる少なくとも２つの有用な最終製品：（ｉ）セルロース系バイオマス；及び（ｉｉ）非有機実質固形物流(non-organic substantially solid stream)がある。洗浄プロセスはまた、有用な有機物を多量に含む廃水流(organic-rich waste water stream)をもたらし、それは、例えばオーバーサイズ物のパルプ化におけるなど主プロセスにおいてリサイクルされる前に、（任意選択で、生物的処理などの処理の後に）リサイクルしてよい。
【００５２】
有利なことに、本発明の方法により得られる「清浄な」セルロース系バイオマスは、従来の混合廃棄物処理プロセスにより得られる「汚れた」セルロースよりも、酵素加水分解、合成ガス（シンガス）への転化、並びに例えば製紙、パルプ成形、セルロース断熱材、園芸製品＆ピート代替品、ＳＭＡ繊維、及び粘度調整剤などの他の用途に、それをより適したものにする。
【００５３】
有利なことに、直径＞約２０ｍｍ、又は直径＞約１５ｍｍ、又は直径＞約１０ｍｍ、又は直径＞約５ｍｍ、又は直径＞約１ｍｍの、主にプラスチック、金属、及び小さな織物を含む、非有機実質固形物流を、熱燃焼(thermal combustion)の前にリサイクル可能な材料の更なる回収のため、或いは、有利なことにプロセスのために熱及びエネルギーを供給するのにも使用できるエネルギーの生成のためのシンガスへの転化のため、に使用してよい。
【００５４】
微細物の処理
一次選別の後に得られる微細物は、オーバーサイズ物とは異なる様々な様式で処理される。微細物は、主に食品廃棄物、ガラス、及び小砂を含む。ガラス及び小砂は設備を破損させうるため、例えばセルロースパルプなどの有用な生成物の回収を最大化しながら、微細物からの安全でかつ効果的なそれらの除去を必要とする。
【００５５】
微細物は、約７０℃〜１３０℃、８０℃〜１３０℃、９０℃〜１３０℃、１００℃〜１３０℃又は１００℃〜１２５℃の間の温度で、約１５〜６０分の間の時間、オートクレーブにおいてサーモメカニカルパルプ化により処理される。任意選択で、微細物の質量に対して約０〜１００％の間の範囲の量で、水を微細物に添加してよい。本発明の一実施形態によると、温度は約７０℃以上、又は約７５℃以上、又は約８０℃以上、又は約８５℃以上、又は約９０℃以上、又は約９５℃以上、又は約１００℃以上、又は約１０５℃以上、又は約１１０℃以上、又は約１１５℃以上、又は約１２０℃以上、又は約１２５℃以上、又は約１３０℃以上であってよい。微細物を、約１５分以上、又は約２０分以上、又は約２５分以上、又は約３０分以上、又は約３５分以上、又は約４０分以上、又は約４５分以上、又は約５０分以上、又は約５５分以上、又は約６０分以上、サーモメカニカルにパルプ化してよい。任意選択で、微細物の質量に対して、約１０％以上、又は約２０％以上、又は約３０％以上、又は約４０％以上、又は約５０％以上、又は約６０％以上、又は約７０％以上、又は約８０％以上、又は約９０％以上、又は約１００％以上の量で、サーモメカニカルパルプ化されるべき微細物に水を添加してよい。
【００５６】
有利なことに、上記の温度、時間及び含水量のパラメータは、任意のプラスチック材料の縮小又は溶融を回避し、それによって、設備への損傷、並びに有用な生成物の最適には及ばない回収を回避しながら、食品材料の適切な分解、及び実質的な滅菌を確実にする。サーモメカニカルパルプ化は、例えば、潜在的に有害な揮発性の有機物質の生成を回避し、それによって、専門職員を雇用し及びそのプロセスを専門設備及び追加の安全対策を用いて実施しなければならないことに関連する費用を回避することに貢献する。この中に定義されているような微細物のサーモメカニカルパルプ化はまた、例えばセルロースなどの有機物質の良好な収量を可能にする。温度範囲及び／又は水の添加は、有利なことに、プラスチックの縮小及び溶融を回避するのに寄与する。
【００５７】
正確な温度、水の量、及び時間のパラメータは本質的ではなく、微細物の性質（水の含量、プラスチック含量など）、オートクレーブ装置、及び処理すべき材料の量などに応じて、変動してよい。当業者は、微細物中に存在する任意のプラスチックの実質的な溶融なしに、食品廃棄物の適切な分解を確実にするように、適宜に、温度、水及び時間を容易に調節することができる。
【００５８】
（サーモメカニカルパルプ化による処理の後）パルプ化された微細物を、密度によって、下記のものを含む少なくとも３つの流れに分離する：
（ｉ）パルプ化された微細物中に存在する実質的に全てのガラス、及び小砂を含む、「湿った重量物(wet heavies)」画分；
（ｉｉ）パルプ化された微細物中に存在する実質的に全てのプラスチック、木材、及び水に浮くことができる他の材料を含む、「湿った軽量物(wet lights)」画分；及び
（ｉｉｉ）セルロース系バイオマス、及び水溶性有機化合物を含むスラリー。
【００５９】
本発明は、微細物（好ましくは約２００ｍｍ未満の直径を有し、主に食品廃棄物を含む）の処理方法であって、サーモメカニカルパルプ化、及びそれに続く比重選別の工程を含む方法を提供する。その微細物の処理は、有利なことに、上記の少なくとも３つの流れの回収をもたらす。さらに回収可能なものは、有機物を多量に含む洗浄水であり、それはバイオガス製造に使用することができ、或いはプロセスにおいてリサイクルしてもよい。
【００６０】
「湿った重量物」画分の全て又は一部を骨材としてリサイクルしてよい。
【００６１】
「湿った軽量物」画分は、オーバーサイズ物の処理の洗浄工程ｃ）に戻してよく、或いは、水の要求を満たすためにプロセスにおける他の場所に流用してもよい。
【００６２】
スラリー中に存在する水溶性有機化合物は、バイオガス製造のための嫌気性消化で使用することができ、或いは、回収可能なセルロース及び最終バイオガス収量を高めるために、洗浄トンネルに向かわせてもよい。
【００６３】
スラリー中に存在するセルロース系バイオマスは、酵素加水分解で使用するために回収され、その後、バイオガス製造のため、或いはオーバーサイズ物の処理から得られるセルロース系バイオマスに適用可能な用途のような様々な他の最終用途において、使用することができる。
【００６４】
本発明の別の態様によると、本発明の方法により（微細物及び／又はオーバーサイズ物から）得られるパルプ及び／又はセルロース系バイオマスを提供する。
【００６５】
本発明の別の態様によると、本発明の方法により得られるリサイクル可能物（清浄なリサイクル可能物）を提供する。
【００６６】
本発明の別の態様によると、本発明の方法により得られる非有機実質固形物流を提供する。
【００６７】
本発明の別の態様によると、本発明の方法により（微細物及び／又はオーバーサイズ物の処理から）得られる、有機物を多量に含む洗浄水又は汚れた洗浄水を提供する。
【００６８】
本発明の別の態様によると、約６％未満、又は約７％未満、又は約８％未満、又は約９％未満、又は約１０％未満の灰分を含み、及び従来の混合廃棄物リサイクルプロセスにより得られるセルロース系バイオマスに対して、約５〜８：１の間（例えば、約５：１、約６：１、約７：１、約８：１）のグルカン：キシラン比を有する、セルロース系バイオマスを提供する
【００６９】
混合廃棄物、事務用紙、段ボール又は新聞紙に由来するセルロース系バイオマスは通常、本発明のセルロース系バイオマスよりも高い灰分を有するであろう。より低い灰分は、例えば酵素加水分解、バイオガス製造などにおいて処理を容易にするため有利であり、またピートモス代替物としても有用となりうる。
【００７０】
さらに、本発明のセルロース系バイオマス中の繊維の組成は、農業廃棄物由来のバイオマスの繊維とは異なる。例えば、本発明のセルロース系バイオマスは、例えば農業及び林業廃棄物から得られるセルロースと比較して、ヘミセルロース含量が低い（約３０％未満、又は２０％未満、又は１０％未満）。また、本発明のセルロース系バイオマスは、農業及び林業廃棄物から得られるセルロース系バイオマス中に存在するキシラン含量と比較して、より低いキシラン含量を有する。より低いキシラン含量は、より高いセルロース含量が有益と考えられる適用のために、異なるキシラン：セルロース比による利点をもたらしうる。また、本発明のセルロース系バイオマスは、林業又は農業廃棄物から得られるセルロース系バイオマス中に存在するリグニン含量と比較して、より低いリグニン含量を有する。
【００７１】
本発明の別の態様によると、本発明に従う廃棄物処理プロセスから得られる非有機実質固形物流の、熱燃焼における使用、又は合成ガス（シンガス）への転化のための使用を提供する。非有機実質固形物流は、例えば直径＞約２０ｍｍの、主にプラスチック、金属、及び織物を含む。
【００７２】
本発明の第２、及び第３の態様の好ましい特徴は、第１の態様に関連して上述した通りである。
【００７３】
この明細書の記載、並びに特許請求の範囲を通して、用語「含む」及び「含有する」、ならびにその語の変形「含んでいる」「含み」は、「含むがそれに限定されない」ことを意味し、他の部分、添加物、成分、整数又は工程を排除しない。
【００７４】
この明細書の記載、及び特許請求の範囲を通して、文脈がそうでないことを要求しない限り、単数は複数を包含する。特に、不定の物品が用いられる場合、文脈がそうでないことを要求しない限り、明細書は、単一、並びに複数を意図していると理解されるべきである。
【００７５】
本発明の他の特徴は、下記の実施例から明らかになるであろう。総じて、本発明は、この明細書（添付の特許請求の範囲及び図面を含む）に開示される特徴の任意の新規な１つ又は任意の新規な組合せに及ぶ。従って、本発明の特定の態様、実施形態又は実施例に関連して記載されている特徴、整数、特性、化合物、化学的部分又は基は、矛盾しない限り、この中に記載されている他の任意の態様、実施形態又は実施例にも適用されうると理解されるべきである。
【００７６】
さらに、そうでないことが記載されていない限り、この中に開示されている任意の特徴は、同じ又は類似の目的を果たす代わりの特徴で置き換えてよい。
【００７７】
図面
添付の例証としての図面に言及して、単に例示の目的で本発明を説明する。図１は、紙、段ボール、プラスチック、金属、ガラス、電池、電気製品、織物、ゴム、木材、庭木、及び食品廃棄物の任意のものを含みうるＭＳＷの処理のための、本発明に従うプロセスを示す。
【００７８】
受入ＭＳＷは、例えば後続の処理に大きすぎる物品、組積物、家具、電気製品、織物、カーペット、及び動物の死骸などの、任意の有害品目又は処理に適さない品目が除去される（「排除」）、任意選択の（破線で示されている）「事前選別」工程を受けるように示されている。
【００７９】
任意選択の「事前選別」に続き、ＭＳＷは、「微細物」（主に食品廃棄物を、例えばガラス、小砂、プラスチック、及び紙などの他の微量成分と共に含む）と「オーバーサイズ物」（主にプラスチック、金属、紙、及び段ボールを含む）とに材料を分離する少なくとも１つのトロンメル又は他の篩（示されていない）にＭＳＷを通すことを含む、「一次選別」を受ける。トロンメル又は篩は、約２００ｍｍ未満の直径を有する微細物が得られるように材料を分離することを可能にする。
【００８０】
次に、「オーバーサイズ物」は、任意選択の（再度、破線で示されている）「織物除去」工程を受ける。除去された任意の「織物」は別途リサイクルされる。
【００８１】
実質的に織物を含まない「オーバーサイズ物」は次に、水を添加して（「Ｗ」）、「ハイドロメカニカルパルプ化」を受けるように示されている。「ハイドロメカニカルパルプ化」は、ドラムパルパー（示されていない）内で行うことができる。パルプ化された材料は次に、「二次選別」工程を受け、その工程の間に、プラスチックフィルム（「フィルム」）、プラスチック及び金属容器（「硬質物」）を除去する。「フィルム」は、パルプ化されたオーバーサイズ物を、軽量の「フィルム」を持ち上げて除去し、より重い容器（「硬質物」）を残したままにする真空ドラムセパレータ（示されていない）などに通すことにより除去することができる。或いは、真空装置（示されていない）の助けを借りて、移動ベルト上で「フィルム」を取り除いてもよい。「硬質物」は、ポリマーの種類によって硬質容器を分離することができる自動光学選別装置（示されていない）を用いて分離することができる。オーバーバンド磁石を、スチール及び他の鉄製容器の分離及び回収に用いることができ、また渦電流分離機を、アルミニウム又は他の非鉄製容器の分離及び回収に用いることができる。回収された「フィルム」及び「硬質物」は次に、更なるリサイクル又は再利用のために梱包されうる。この段階でリサイクル可能な材料に混じって見られる任意のパルプ化されていない紙又は段ボールは、手で又は自動的に拾い出され、「サーモメカニカルパルプ化」に再導入されうる。
【００８２】
「二次選別」に続き、任意選択の（破線で示されている）「破砕」工程がある。これは、従来の破砕機（示されていない）において、「フィルム」及び「硬質物」を除いたパルプ化されていないオーバーサイズ物（リサイクル材料の回収の後）を破砕し、さらに任意選択で、それからの有用な製品の回収を最大化するためにその破砕された混合物をパルパーに戻すことを含む。
【００８３】
「破砕」の後又は「二次選別」の後に、任意の食品廃棄物、水溶性の有機及び無機の汚染物質、及び任意の他の固形の残骸をバイオマスパルプから除去するための「洗浄」工程がある。洗浄プロセスを最適化し、及びより清浄な最終製品を得るために、バイオ由来の界面活性剤を含む従来の界面活性剤及び／又は酵素及び／又は触媒及び／又は添加剤及び／又は他の適切な物質を洗浄プロセスで用いてもよい。
【００８４】
「洗浄」は、バイオマスパルプの洗浄用の従来の設備を、必要であれば任意選択で機械的脱水（例えば、フィルタプレス又は遠心分離機を用いる）と共に、含んでいてよい。或いは、「洗浄」工程は、材料を浄化し及びサイズによって材料を分離する回転洗浄トロンメルにおける、パルプ化されたオーバーサイズ物の洗浄を含んでいてよい。或いは、「洗浄」は、洗浄トンネルにおけるパルプ化されたオーバーサイズ物の洗浄を含んでいてよい。
【００８５】
「オーバーサイズ物」の「洗浄」の後、３つの主生成物：（ｉ）「セルロース−バイオマス」、（ｉｉ）「非有機固形物」、及び（ｉｉｉ）「有機物を多量に含む水」が得られる。
【００８６】
図１の左手側は、任意選択で水（Ｗ）を添加して、「サーモメカニカルパルプ化」を受ける「微細物」の処理を示す。パルプ化された「微細物」は、３つの主生成物：（ｉ）「湿った軽量物」、（ｉｉ）「バイオマススラリー」、及び（ｉｉｉ）「湿った重量物」をもたらす。
【００８７】
図１は、１つのプロセスでの「微細物」及び「オーバーサイズ物」の処理を示すが、これらは別々に実施してもよい。
【００８８】
定義
本願を通して、以下の定義が用いられる。本願におけるセクションの表題及び見出しは、単に便宜及び参照目的のためであり、この出願の意味又は解釈に何ら影響を及ぼさない。この出願の範囲内で用いられている技術的用語及び表現は通常、一般的に適用される意味を与えられる。
【００８９】
都市固形廃棄物、ＭＳＷ、混合廃棄物、一般廃棄物、家庭廃棄物、廃棄物
「都市固形廃棄物」又は「ＭＳＷ」は、家庭、並びに例えばオフィス、学校、卸売り店、レストラン、小売店などの商業施設で出される一般廃棄物、任意の有害でない産業廃棄物、及び例えばＭＲＦが排除したものなどの他の廃棄物リサイクル活動からの残渣である。典型的なＭＳＷには、以下の任意のものが含まれる：紙、段ボール、プラスチック、金属、電池、電気製品、ガラス、織物、ゴム、木材、庭木、及び食品廃棄物。用語「混合廃棄物」、「一般廃棄物」、「家庭廃棄物」、「廃棄物」、「都市固形廃棄物」、及び「ＭＳＷ」は全て、この中で交換可能に用いられ、紙、段ボール、プラスチック、金属、電池、電気製品、ガラス、織物、ゴム、木材、庭木、及び食品廃棄物の、任意の２つ以上、３つ以上、４つ以上、５つ以上、又は６つ以上を意味する。
【００９０】
微細物
この中で「微細物」への言及は、例えばガラス、小砂、プラスチック、及び紙などの他の微量成分を含む、主に食品廃棄物を意味するとみなされる。
【００９１】
オーバーサイズ物
この中で「オーバーサイズ物」への言及は、主にプラスチック、金属、紙、及び段ボールを含む廃棄物を意味するとみなされる。
【００９２】
トロンメル
この中で「トロンメル」への言及は、サイズによって材料を分離するのに用いられる篩を意味するとみなされる。トロンメルは典型的には円筒状で穴が開いており、回転し、アンダーサイズの材料にその穴を通過させる。
【００９３】
ハイドロメカニカル、サーモメカニカル、ハイドロサーマル
この中で用いられている「ハイドロメカニカル」、「サーモメカニカル」、及び「ハイドロサーマル」な手段又は装置への言及は、廃棄物、微細物又はオーバーサイズ物を分解するために水（ハイドロ）及び／又は熱（サーモ）及び／又は機械（メカニカル）に基づく作用を使用する、任意の力又は装置又は装置の組合せを意味する。
【００９４】
分解、処理、パルプ化
用語「分解」、「破壊」、「パルプ化」、「処理」は全て（時々、文脈によって）、この中で交換可能に用いられ、例えば「オーバーサイズ物」の場合、解砕、及び少なくともバイオマスパルプへの廃棄物の転化をもたらす任意の作用を意味する。
【００９５】
バイオマスパルプ、パルプ、セルロースパルプ、セルロース系バイオマス、セルロース
用語「バイオマスパルプ」及び「パルプ」はこの中で交換可能に用いられ、ペーパーマッシェタイプの一様性を有するパルプを製造するために廃棄物（典型的には、紙、段ボール、及び植物由来成分）の分解から得られる洗浄工程前の生成物を意味する。洗浄工程後、「セルロースパルプ」、「セルロース系バイオマス」又は「セルロース」が得られ、この中でそれらの用語は、バイオマスパルプの洗浄後に得られる生成物を意味するために交換可能に用いられる。
【００９６】
有機、非有機
この中で言及されている用語「有機」は、炭素基を有する任意の植物又は動物由来の材料を意味するが、プラスチックを除く；従って、用語「非有機」は、有機でない任意のものを意味し、プラスチックを含む。
【図１】
2019501761.tif 000003
【国際調査報告】
2019501761.tif 000004
2019501761.tif 000005